(57)【要約】  本発明は、加速粒子ビームを利用して第１の放射性同位体および第２の放射性同位体を生成する方法であって、加速粒子ビームが第１の母材に向けられ、粒子ビームと第１の母材との間の相互作用に基づく第１の核反応によって第１の放射性同位体が生成され、前記粒子ビームは減速され、続いて第２の母材に向けられ、粒子ビームと第２の母材との間の相互作用に基づく第２の核反応によって第２の放射性同位体が生成される、方法に関する。第１の核反応を引き起こすための実効断面積は、第１の粒子エネルギーに第１のピークを有し、第２の核反応を引き起こすための実効断面積は、第１の粒子エネルギーより低い第２の粒子エネルギーに第２にピークを有する。本発明はまた、加速ユニットと、第１の母材を有する第１の照射ターゲットと、第２の母材を有し、照射経路の方向において上流に配置される第２の照射ターゲットと、を備える対応する装置に関する。
2013518267.tif 000002
【特許請求の範囲】
【請求項１】
加速粒子ビーム（１１）を利用して第１の放射性同位体（１９）および第２の放射性同位体（２５）を生成する方法であって、
前記加速粒子ビーム（１１）を第１の母材に向け、前記加速粒子ビーム（１１）と前記第１の母材との間の相互作用によって引き起こされる、第１の核反応によって前記第１の母材から前記第１の放射性同位体（１９）を生成するステップと、
前記加速粒子ビーム（１１）を第２の母材に向け、前記加速粒子ビーム（１１）と前記第２の母材との間の相互作用によって引き起こされる、第２の核反応によって前記第２の母材から前記第２の放射性同位体（２５）を生成するステップと、を含み、
前記粒子ビーム（１１）と前記第１の母材との間の相互作用によって前記第１の核反応を引き起こすための実効断面積（３１）が、第１の粒子エネルギーに第１のピークを有し、前記粒子ビーム（１１）と前記第２の母材との間の相互作用によって前記第２の核反応を引き起こすための実効断面積（３３）が、前記第１の粒子エネルギーより低い第２の粒子エネルギーに第２のピークを有し、
前記加速粒子ビームが最初に前記第１の母材を通過する結果として前記第１の核反応が引き起こされ、その結果前記粒子ビームがエネルギーを損失し、続いて前記第２の母材を照射する結果として前記第２の核反応が引き起こされるように、前記第１の母材および前記第２の母材を、前記粒子ビーム（１１）のビーム経路において前後に配置する、方法。
【請求項２】
前記粒子ビーム（１１）が前記第１の母材を貫通したときに、前記粒子ビーム（１１）が、減速された粒子ビーム（１１）と前記第２の母材との間の相互作用によって、前記第２の放射性同位体（２５）を生成および得るのに適当な核反応が引き起こされる範囲内にある粒子エネルギーまで減速されるように、前記第１の母材の厚さを規定する、請求項１に記載の方法。
【請求項３】
前記粒子ビーム、より詳細には陽子ビーム（１１）を、前記第１の母材を通過する前に、少なくとも１５ＭｅＶ、より詳細には少なくとも２５ＭｅＶのエネルギーまで加速する、請求項１または２に記載の方法。
【請求項４】
前記粒子ビーム、より詳細には陽子ビーム（１１）が、前記第２の母材を照射する前に１５ＭｅＶ未満のエネルギーを有する、請求項１から３のいずれか一項に記載の方法。
【請求項５】
前記第１の放射性同位体（１９）がＳＰＥＣＴ画像に適した放射性核種であり、より詳細には９９ｍＴｃである、請求項１から４のいずれか一項に記載の方法。
【請求項６】
前記第２の放射性同位体（２５）がＰＥＴ画像に適した放射性核種であり、より詳細には１１Ｃ、１３Ｎ、１８Ｆまたは１５Ｏである、請求項１から５のいずれか一項に記載の方法。
【請求項７】
前記第１の母材または前記第２の母材が金属または化合物であり、より詳細には、溶液中または気体状態で保持される、請求項１から６のいずれか一項に記載の方法。
【請求項８】
加速粒子ビーム（１１）を利用して第１の放射性同位体（１９）および第２の放射性同位体（２５）を生成する装置であって、
粒子ビーム（１１）、より詳細には陽子ビームを提供する加速ユニット（１３）と、
第１の母材を含み、前記加速粒子ビーム（１１）がそこに向けられ得る、第１の照射ターゲット（１５）であって、前記第１の放射性同位体（１９）が第１の核反応によって前記第１の母材から生成され得、該第１の核反応が前記加速粒子ビーム（１１）と前記第１の母材との間の相互作用によって引き起こされ得、前記粒子ビーム（１１）が前記第１の母材を通過すると減速される、第１の照射ターゲットと、
第２の母材を含み、前記ビーム伝搬方向において前記第１の照射ターゲット（１５）の後部に配置された、第２の照射ターゲット（２１）であって、前記第２の放射性同位体（２５）が第２の核反応によって前記第２の母材から生成され得、該第２の核反応が減速された加速粒子ビーム（１１）と前記第２の母材との間の相互作用によって引き起こされ得る、第２の照射ターゲットと、を備え、
前記第１の核反応の実効断面積（３１）が、前記第２の核反応の実効断面積（３３）よりも高い粒子エネルギーにある、装置。
【請求項９】
前記第１の放射性同位体（１９）がＳＰＥＣＴ画像に適した放射性核種であり、より詳細には９９ｍＴｃを含み、かつ／または前記第２の放射性同位体（２５）がＰＥＴ画像に適した放射性核種であり、より詳細には１１Ｃ、１３Ｎ、１８Ｆまたは１５Ｏを含む、請求項８に記載の装置。
【請求項１０】
前記加速ユニット（１３）が、前記粒子ビーム（１１）を、前記第１の母材を通過する前に少なくとも１５ＭｅＶ、より詳細には少なくとも２５ＭｅＶのエネルギーまで加速するように構成されている、請求項８または９に記載の装置。
【発明の詳細な説明】
【技術分野】
【０００１】
本発明は、２つの異なる放射性同位体を生成する方法および装置に関する。
【背景技術】
【０００２】
このような放射性同位体は、医療用画像の分野、例えばＰＥＴ画像およびＳＰＥＣＴ画像において使用されている。
ＰＥＴ画像用の放射性核種は、多くの場合、例えばサイクロトロン生成装置を利用して、病院の近くで製造される。
【０００３】
特許文献１には、照射されるターゲットの設計が記載されており、これは、ＰＥＴ画像用の放射性核種を生成するためのサイクロトロンにおいて使用される。
【０００４】
特許文献２には、粒子ビームによる照射によって生成される放射性同位体を生成する方法が記載されている。
【０００５】
特許文献３には、サイクロトロン、および回転フィルムを用いたターゲット設計を利用した放射性核種の生成方法が開示されている。
【０００６】
特許文献４には、放射性同位体を生成するために、その中にガスが含まれたターゲットチャンバを荷電粒子ビームが照射する方法が記載されている。
【０００７】
ＳＰＥＣＴ画像用に使用される放射性核種は、通常原子炉から回収され、ここでは、例えば９９Ｍｏ／９９ｍＴｃを得るために、たいてい高濃縮ウランが使用される。しかし、国際協定の結果、高濃縮ウランを含む反応炉を作動することは、今後より困難なものとなり、ＳＰＥＣＴ画像用の放射性核種の供給における障害につながり得る。
【先行技術文献】
【特許文献】
【０００８】
【特許文献１】米国特許第６，４３３，４９５号明細書
【特許文献２】国際公開第２００６／０７４９６０号
【特許文献３】米国特許第６，１３０，９２６号明細書
【特許文献４】特許第１２５４９００号公報
【発明の概要】
【課題を解決するための手段】
【０００９】
本発明の目的は、少なくとも２つの異なる放射性同位体を生成する方法および装置を特定することにあり、これにより、費用対効果に優れ、局所的な分散的生成を可能にするやり方で、特に医療用画像のための放射性同位体の生成が可能となる。
【００１０】
上記目的は、独立請求項に記載の発明によって達成される。有利な発展は、従属請求項に記載の特徴に含まれる。
【００１１】
加速粒子ビームを利用して第１の放射性同位体および第２の放射性同位体を生成する発明による方法において、以下のステップが実施される：
加速粒子ビームを第１の母材に向け、加速粒子ビームと第１の母材との間の相互作用によって引き起こされる第１の核反応によって第１の母材から第１の放射性同位体を生成するステップ、および
加速粒子ビーム第２の母材に向け、加速粒子ビームと第２の母材との間の相互作用によって引き起こされる第２の核反応によって第２の母材から第２の放射性同位体を生成するステップ。
ここで、粒子ビームと第１の母材との間の相互作用によって第１の核反応を引き起こすための実効断面積は、第１の粒子エネルギーに第１のピークを有し、粒子ビームと第２の母材との間の相互作用によって第２の核反応を引き起こすための実効断面積は、第１の粒子エネルギーより低い第２の粒子エネルギーに第２にピークを有し、加速粒子ビームが最初に第１の母材を通過し、その結果として第１の核反応が引き起こされ、その結果粒子ビームがエネルギーを損失し、続いて第２の母材を照射し、その結果として第２の核反応が引き起こされるように、第１の母材および第２の母材は、粒子ビームのビーム経路において前後に配置される。
【００１２】
粒子、例えば陽子は、加速ユニットを利用して加速され、ビーム状に成形される。
加速粒子ビームと第１の母材との間の相互作用により、第１の放射性同位体が生成されるが、該第１の放射性同位体は、さまざまな周知の方法を使用して第１の母材から得ることができる。
第２の母材と相互作用する減速された粒子ビームにより、第２の放射性同位体が生成されるが、該第２の放射性同位体は、第２の母材から得ることができる。
【００１３】
これは、粒子ビームを形成するために粒子の単一の加速を使用した、１つの粒子ビームを使用して２つの異なる放射性同位体を生成および得るための方法であり、２つの異なる放射性同位体の生成が費用対効果に優れたやり方で達成される。粒子の加速は、大抵の場合、平均サイズの１つの加速ユニットのみを必要とし、該ユニットはまた、局所的に設置および使用することができる。上述の方法を使用すると、２つの放射性同位体を所望の使用場所付近または周辺、例えば病院の周辺において局所的に生成することができる。
【００１４】
これは、ＳＰＥＣＴ画像用の放射性核種の生成において特に有利であり、例えば核反応炉などの大型設備における従来の非局所的生成法と対照的に、局所的生成は、多くの問題を解決する。核医学ユニットは、互いに独立してワークフローを計画することができ、複雑な論理および基礎構造に依存しない。
【００１５】
第１の母材および第２の母材は、互いに分離され、かつビーム経路において前後に配置される。規定の第１のエネルギーを有する粒子ビームが第１の母材を通過し、該第１のエネルギーは、続いて第２の母材を照射する粒子ビームの第２エネルギーよりも高い。その結果として、ビームを第１のエネルギーにのみ加速すればよい。第２の母材を照射するために必要なエネルギーは、少なくとも部分的に、第１の材料を通過することによる粒子ビームの減速によって達成される。
【００１６】
特に、粒子ビームが前記第１の母材を貫通するときに、減速された粒子ビームと第２の母材との間の相互作用によって第２の放射性同位体を生成および得るために適した核反応が引き起こされる範囲にある粒子エネルギーまで粒子ビームが減速されるように、第１の母材の厚さが提供され、続く粒子ビームの第２の母材との核反応に適合され得る。
【００１７】
この実施形態は、第１の母材から出てきた後の粒子ビームが、第２の母材において所望の相互作用を引き起こすために十分高いエネルギーを有するように、第１の母材の厚さを十分薄くする。第二に、厚さは、第２の母材の前方に追加のエネルギー変調器を必要としないように、必要とされる相互作用範囲まで粒子ビームを減速するために十分厚くすることができる。
【００１８】
特に、粒子ビームは、第１の母材を通過する前に、少なくとも１５ＭｅＶ、より詳細には少なくとも２５ＭｅＶのエネルギーであり、かつ最大で５０ＭｅＶを超えるエネルギーまで加速され得る。これにより、適当な母材からＳＰＥＣＴ画像に使用され得る同位体、例えば９９ｍＴｃを生成するためのエネルギー範囲において第１の核反応が起こるようになる。
【００１９】
第１の母材を通過した後で、かつ第２の母材を照射する以前に、粒子ビームは、１５ＭｅＶ未満のエネルギーを有し得る。これにより、粒子ビームのエネルギーは、相互作用断面積が適当な周知の母材からＰＥＴ画像用の放射性核種、より詳細には１１Ｃ、１３Ｎ、１８Ｆまたは１５Ｏを生成する核反応を引き起こす範囲内となる。
【００２０】
生成すべき所望の放射性同位体によって、第１の母材および／または第２の母材は、金属として存在するか、化合物であるか、固体形態で存在するか、または液体形態で存在することができる。例として、天然または濃縮同位体が含まれる溶液を使用して、照射の結果、所望の放射性同位体を生成することができる。
【００２１】
加速粒子ビームを利用して第１の放射性同位体および第２の放射性同位体を生成するための本発明による装置は、
粒子ビーム、より詳細には陽子ビームを提供する加速ユニットと、
第１の母材を含み、加速粒子ビームがそこに向けられ得る、第１の照射ターゲットであって、第１の放射性同位体が第１の核反応によって第１の母材から生成され得、該第１の核反応が加速粒子ビームと第１の母材との間の相互作用によって引き起こされ得、粒子ビームが前記第１の母材を通過すると減速される、第１の照射ターゲットと、
第２の母材を含み、ビーム伝搬方向において第１の照射ターゲットの後部に配置された、第２の照射ターゲットであって、第２の放射性同位体が第２の核反応によって第２の母材から生成され得、該第２の核反応が減速された加速粒子ビームと第２の母材との間の相互作用によって引き起こされ得る、第２の照射ターゲットと、を備え、
第１の核反応の実効断面積が、第２の核反応の実効断面積よりも高い粒子エネルギーにある。
【００２２】
第１の放射性同位体は、ＳＰＥＣＴ画像に適した放射性核種、より詳細には９９ｍＴｃであり得る。第２の放射性同位体は、ＰＥＴ画像に適した放射性核種、より詳細には１１Ｃ、１３Ｎ、１８Ｆまたは１５Ｏであり得る。
【００２３】
加速ユニットは、粒子ビームを、第１の母材を通過する前に少なくとも１５ＭｅＶ、より詳細には少なくとも２５ＭｅＶのエネルギーまで加速するように構成され得る。
【００２４】
これまでおよび以降に説明されている個々の特徴、利点、およびその効果は、それぞれの場合において詳細を明確に言及しないが、装置のカテゴリーおよび方法のカテゴリーの双方に関するものである。つまり、そのようにして開示された個々の特徴はまた、示されたもの以外のその他の組み合わせにおける発明にとっても不可欠であり得る。
【００２５】
従属請求項の特徴による有利な発展を有する発明の実施形態について、それらに限定されるわけではないが、以下の図面に基づいてより詳細に説明する。
【図面の簡単な説明】
【００２６】
【図１】２つの異なる放射性同位体を生成する装置の構造の概略図を示す。
【図２】異なる母材との異なる核反応のための異なる実効断面積を図示する略図を示す。
【図３】方法を実施する場合に実施され得るステップを図示する略図を示す。
【発明を実施するための形態】
【００２７】
図１は、一方はＳＰＥＣＴ画像用であり、他方はＰＥＴ画像用である、２つの異なる放射性核種を生成する装置の概略図を示す。
陽子ビーム１１は、例えばサイクロトロンなどの加速ユニット１３によって提供され、当初は、１５ＭｅＶから５０ＭｅＶの間の第１エネルギーを有する。
【００２８】
続いて、陽子ビームは、粒子ビームとの相互作用の結果としての核反応において、ＳＰＥＣＴ画像用に使用される９９Ｍｏ／９９ｍＴｃを生成する母材のスタックを含む第１のターゲットユニット１５へと向けられる。前記スタックにおいて生成される第１の放射性同位体１９は、減結合装置１７を利用して取り出され、さらなる使用が可能であるように回収される。
【００２９】
ここで、９９ｍＴｃが次の核反応１００Ｍｏ（ｐ，ｎ）９９Ｔｃから生じるように、１００Ｍｏは９９ｍＴｃを生成するためのターゲット材料とすることができる。
【００３０】
第１のターゲットユニット１５を通過した結果、陽子ビーム１１は、１５ＭｅＶ未満のエネルギーまで減速される。
陽子ビーム１１は、続いて、第２のターゲットユニット２１に向けられる。第２のターゲットユニット２１には、第２の母材のスタックが配置され、該第２の母材は、陽子ビーム１１との相互作用の結果として、さらなる核反応において、ＰＥＴ画像用の放射性核種を生成する。
【００３１】
例として、第２の放射性同位体は、１１Ｃ、１３Ｎ、１８Ｆまたは１５Ｏとすることができる。第２の放射性同位体２５も同様に、さらなる減結合装置２３を利用して第２のターゲットユニット２１から取り出され、さらなる使用が可能であるように回収される。
以下の表は、ターゲット材料およびＰＥＴ放射性核種が生成され得る核反応の概要を提供する。
【００３２】
【表１】
2013518267.tif 000003
【００３３】
図２は、さまざまな核反応に対して粒子ビームの粒子エネルギーＥによる実効断面積σがプロットされた、概略図を示す。第１の実効断面積曲線３１は、第１の母材において粒子ビームによって引き起こされる第１の核反応を示す。第２の実効断面積曲線３３は、第２の母材において粒子ビームによって引き起こされる第２の核反応を示す。
【００３４】
第１の実効断面積のピークは、より低いエネルギーでの実効断面積のピークよりも著しく高いエネルギーにあることがわかる。これらの状況は、一つの同一の粒子ビームを使用して所望の核反応を連続して引き起こすことができるため、装置または方法に使用される。第１の核反応の間に起こる粒子ビームの減速は、前記粒子ビームが第２の核反応に都合の良いエネルギー範囲に達するため、この場合望ましい。
【００３５】
図３は、本方法の１実施形態におけるステップを概略的に示す。
最初に、粒子ビームを形成する。これは、常に同一の最終エネルギーを有する粒子ビームを発生させるサイクロトロンを利用してもたらされ得る（ステップ４１）。
【００３６】
続いて、第１の母材を有するターゲットに粒子ビームを向ける（ステップ４３）。粒子ビームと第１の母材との相互作用の結果として、第１の放射性同位体が生成される第１の核反応が引き起こされる。生成された放射性同位体は、周知の取り出し方法によって得られる（ステップ４５）。
【００３７】
続いて、減速された粒子ビームを、第２の母材を有する第２のターゲットに向ける（ステップ４７）。第２の放射性同位体は、第２の核反応において生成される。第２の放射性同位体は続いて、周知の取り出し方法によって得られる（ステップ４９）。
【符号の説明】
【００３８】
１１  陽子ビーム
１３  加速ユニット
１５  第１のターゲットユニット
１７  第１の減結合装置
１９  第１の放射性同位体
２１  第２のターゲットユニット
２３  追加の減結合装置
２５  第２の放射性同位体
３１  第１の実効断面積曲線
３３  第２の実効断面積曲線
【図１】
2013518267.tif 000004
【図２】
2013518267.tif 000005
【図３】
2013518267.tif 000006
【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
加速粒子ビーム（１１）を利用して第１の放射性同位体（１９）および第２の放射性同位体（２５）を生成する方法であって、
前記加速粒子ビーム（１１）を第１の母材に向け、前記加速粒子ビーム（１１）と前記第１の母材との間の相互作用によって引き起こされる、第１の核反応によって前記第１の母材から前記第１の放射性同位体（１９）を生成するステップと、
前記加速粒子ビーム（１１）を第２の母材に向け、前記加速粒子ビーム（１１）と前記第２の母材との間の相互作用によって引き起こされる、第２の核反応によって前記第２の母材から前記第２の放射性同位体（２５）を生成するステップと、を含み、
前記粒子ビーム（１１）と前記第１の母材との間の相互作用によって前記第１の核反応を引き起こすための実効断面積（３１）が、第１の粒子エネルギーに第１のピークを有し、前記粒子ビーム（１１）と前記第２の母材との間の相互作用によって前記第２の核反応を引き起こすための実効断面積（３３）が、前記第１の粒子エネルギーより低い第２の粒子エネルギーに第２のピークを有し、
前記加速粒子ビームが最初に前記第１の母材を通過する結果として前記第１の核反応が引き起こされ、その結果前記粒子ビームがエネルギーを損失し、続いて前記第２の母材を照射する結果として前記第２の核反応が引き起こされるように、前記第１の母材および前記第２の母材を、前記粒子ビーム（１１）のビーム経路において前後に配置する、方法。
【請求項２】
前記粒子ビーム（１１）が前記第１の母材を貫通したときに、前記粒子ビーム（１１）が、減速された粒子ビーム（１１）と前記第２の母材との間の相互作用によって、前記第２の放射性同位体（２５）を生成および得るのに適当な核反応が引き起こされる範囲内にある粒子エネルギーまで減速されるように、前記第１の母材の厚さを規定する、請求項１に記載の方法。
【請求項３】
前記粒子ビームを、前記第１の母材を通過する前に、少なくとも１５ＭｅＶのエネルギーまで加速する、請求項１または２に記載の方法。
【請求項４】
前記粒子ビームが、前記第２の母材を照射する前に１５ＭｅＶ未満のエネルギーを有する、請求項１から３のいずれか一項に記載の方法。
【請求項５】
前記第１の放射性同位体（１９）がＳＰＥＣＴ画像に適した放射性核種である、請求項１から４のいずれか一項に記載の方法。
【請求項６】
前記第２の放射性同位体（２５）がＰＥＴ画像に適した放射性核種である、請求項１から５のいずれか一項に記載の方法。
【請求項７】
前記第１の母材または前記第２の母材が金属または化合物であり、溶液中または気体状態で保持される、請求項１から６のいずれか一項に記載の方法。
【請求項８】
加速粒子ビーム（１１）を利用して第１の放射性同位体（１９）および第２の放射性同位体（２５）を生成する装置であって、
粒子ビーム（１１）を提供する加速ユニット（１３）と、
第１の母材を含み、前記加速粒子ビーム（１１）がそこに向けられ得る、第１の照射ターゲット（１５）であって、前記第１の放射性同位体（１９）が第１の核反応によって前記第１の母材から生成され得、該第１の核反応が前記加速粒子ビーム（１１）と前記第１の母材との間の相互作用によって引き起こされ得、前記粒子ビーム（１１）が前記第１の母材を通過すると減速される、第１の照射ターゲットと、
第２の母材を含み、前記ビーム伝搬方向において前記第１の照射ターゲット（１５）の後部に配置された、第２の照射ターゲット（２１）であって、前記第２の放射性同位体（２５）が第２の核反応によって前記第２の母材から生成され得、該第２の核反応が減速された加速粒子ビーム（１１）と前記第２の母材との間の相互作用によって引き起こされ得る、第２の照射ターゲットと、を備え、
前記第１の核反応の実効断面積（３１）が、前記第２の核反応の実効断面積（３３）よりも高い粒子エネルギーにある、装置。
【請求項９】
前記第１の放射性同位体（１９）がＳＰＥＣＴ画像に適した放射性核種であり、かつ／または前記第２の放射性同位体（２５）がＰＥＴ画像に適した放射性核種である、請求項８に記載の装置。
【請求項１０】
前記加速ユニット（１３）が、前記粒子ビーム（１１）を、前記第１の母材を通過する前に少なくとも１５ＭｅＶのエネルギーまで加速するように構成されている、請求項８または９に記載の装置。
【国際調査報告】
2013518267.tif 000007
2013518267.tif 000008
2013518267.tif 000009
2013518267.tif 000010